(57)【要約】【課題】  低電力状態のスレーブ装置があっても、マスタ装置側でその応答待ちによる動作の停止が発生しないマトリックス状バス接続システムを提供する。【解決手段】  複数のマスタ装置１ｉとスレーブ装置２ｊがマトリックス状バスに接続され、任意のマスタ装置とスレーブ装置の間でデータ転送を行うマトリックス状バス接続システムで、スレーブ装置２ｊを個別に低消費電力状態にするとき、まず、低電力制御回路３からの制御信号ＣＯＮによって、各マスタ装置１ｉ側に設けられたデコーダ１５ｉの解読テーブルを切り替え、低消費電力の対象となるスレーブ装置への接続要求をデフォルトスレーブ宛ての接続要求に変更させる。そして、低電力制御回路３からの低電力信号ＬＰｊによって、低消費電力の対象となるスレーブ装置２ｊを低消費電力状態にする。【選択図】      図１
2005234932.tif 000002
【特許請求の範囲】
【請求項１】
アクセス対象装置のアドレスをそれぞれ専用のマスタ側バスに出力することによって接続要求を行う複数のマスタ装置と、
前記接続要求を行ったマスタ装置との間でそれぞれ専用のスレーブ側バスを通してデータ転送を行う複数のスレーブ装置と、
前記複数のスレーブ装置を個別に低消費電力状態に制御する低電力制御回路と、
前記マスタ装置毎に設けられて該マスタ装置から出力されるアドレスを解析して接続対象のスレーブ装置を特定して接続要求信号を出力すると共に、該マスタ装置から前記低消費電力状態に制御されたスレーブ装置に対する接続要求があったときには、前記低電力制御回路からの制御に基づいて予め定められたデフォルトスレーブに対する接続要求信号を出力するデコーダと、
前記スレーブ装置毎に設けられて前記各デコーダから与えられる接続要求信号に基づいて前記マスタ装置と該スレーブ装置との間の接続を制御する調停回路と、
前記マスタ装置毎に設けられて前記各調停回路から与えられる第１の選択信号に従って前記スレーブ側バスを選択して対応するマスタ装置のマスタ側バスに接続する第１のセレクタと、
前記スレーブ装置毎に設けられて前記各調停回路から与えられる第２の選択信号に従って前記マスタ側バスを選択して対応するスレーブ装置のスレーブ側バスに接続する第２のセレクタとを、
備えたことを特徴とするマトリックス状バス接続システム。
【請求項２】
アクセス対象装置のアドレスをそれぞれ専用のマスタ側バスに出力することによって接続要求を行う複数のマスタ装置と、
前記接続要求を行ったマスタ装置との間でそれぞれ専用のスレーブ側バスを通してデータ転送を行う複数のスレーブ装置と、
前記複数のスレーブ装置を個別に低消費電力状態に切り替える前に準備のための制御信号を出力し、準備完了後の完了信号に基づいて該当するスレーブ装置を低消費電力状態に制御する低電力制御回路と、
前記マスタ装置毎に設けられて該マスタ装置から出力されるアクセス信号を監視し、該マスタ装置が前記スレーブ装置のいずれかにアクセスをしていないときには、前記制御信号を直ちに出力し、アクセス中であればそのアクセスの終了または途切れ時に該制御信号を出力するアクセス監視回路と、
前記アクセス監視回路のすべてから前記制御信号が出力されたときに、前記低電力制御回路に対する完了信号を出力する完了検出回路と、
前記マスタ装置毎に設けられて該マスタ装置から出力されるアドレスを検出し、前記アクセス監視回路から与えられる制御信号に応じて予め定められたテーブルを参照して、該アドレスに対応する接続対象のスレーブ装置を特定して接続要求信号を出力するデコーダと、
前記スレーブ装置毎に設けられて前記各デコーダから与えられる接続要求信号に基づいて前記マスタ装置と該スレーブ装置との間の接続を制御する調停回路と、
前記マスタ装置毎に設けられて前記各調停回路から与えられる第１の選択信号に従って前記スレーブ側バスを選択して対応するマスタ装置のマスタ側バスに接続する第１のセレクタと、
前記スレーブ装置毎に設けられて前記各調停回路から与えられる第２の選択信号に従って前記マスタ側バスを選択して対応するスレーブ装置のスレーブ側バスに接続する第２のセレクタとを、
備えたことを特徴とするマトリックス状バス接続システム。
【請求項３】
複数のマスタ装置と複数のスレーブ装置がマトリックス状のバス回路に接続され、各マスタ装置に対応して設けられたデコーダによって接続要求先のスレーブ装置を解読し、各スレーブ装置に対応して設けられた調停回路によって該バス回路の接続を制御することによって任意のマスタ装置とスレーブ装置の間でデータ転送を行うことが可能なマトリックス状バス接続システムにおいて、
前記複数のスレーブ装置を個別に低消費電力状態にするときに、
各マスタ装置のデータ転送状態を監視し、データ転送を行っていないマスタ装置では直ちに、データ転送を行っているマスタ装置ではそのデータ転送が終了した時点で、それぞれ対応するデコーダの解読テーブルを切り替えることによって低消費電力の対象となるスレーブ装置への接続要求をデフォルトスレーブ宛ての接続要求に変更する処理と、
前記複数のマスタ装置に対応するすべてのデコーダの解読テーブルが切り替えられた後で、前記低消費電力の対象となるスレーブ装置を低消費電力状態にする処理とを、
行うことを特徴とするマトリックス状バス接続システムの低電力方法。
【発明の詳細な説明】
【技術分野】
【０００１】
本発明は、複数のマスタ装置と複数のスレーブ装置との間を任意に接続して複数のマスタ装置が同時に動作できるように構成したマトリックス状バス接続システム、特に接続されたスレーブ装置における個別の低電力処理に関するものである。
【背景技術】
【０００２】
図２は、従来のマトリックス状バス接続システムの概略を示す構成図である。
このマトリックス状バス接続システムは、複数のマスタ装置１ｉ（但し、ｉ＝１〜ｍ）と、複数のスレーブ装置２ｊ（但し、ｊ＝１〜ｎ）と、これらの間を任意に接続するためのマトリックス状バス回路１０とで構成されている。
【０００３】
マトリックス状バス回路１０は、概念的には、各マスタ装置１ｉ毎に設けられた専用のマスタ側バスと、各スレーブ装置２ｊ毎に設けられた専用のスレーブ側バスを交差して配置し、マスタ装置側のアクセス要求に応じて交差箇所の接続を制御する回路である。
【０００４】
具体的には、マトリックス状バス回路１０は、各マスタ装置１ｉに接続する専用のマスタ側バスに対応して設けられたデコーダ（ＤＥＣ）１１ｉ及びセレクタ（ＳＥＬ）１２ｉと、各スレーブ装置２ｊ接続する専用のスレーブ側バスに対応して設けられた調停回路（ＡＲＢ）１３ｊ及びセレクタ１４ｊとで構成されている。
【０００５】
デコーダ１１ｉは、マスタ装置１ｉから出力されるアドレスを解析して接続対象のスレーブ装置２ｊを特定し、そのスレーブ装置２ｊに対応する調停回路１３ｊにアクセス要求を行うものである。一方、調停回路１３ｊは、各デコーダ１１ｉから与えられるアクセス要求の優先度や要求の順番に基づいてアクセスを許容するマスタ装置を決定し、マスタ側のセレクタ１２ｉ及びスレーブ側のセレクタ１４ｊを制御するものである。
【０００６】
このマトリックス状バス接続システムにおいて、マスタ装置１１からスレーブ装置２ｎへアクセスする場合を例にして、その動作を説明する。
【０００７】
マスタ装置１１は専用のマスタ側バスに、スレーブ装置２ｎのアドレスａｄｄｒを出力する。アドレスａｄｄｒは、マスタ装置１１に対応するデコーダ１１１で読み取られて解析され、このデコーダ１１１からスレーブ装置２ｎ側の調停回路１３ｎに対して、アクセス要求が出力される。スレーブ装置２ｎ側の調停回路１３ｎでアクセスが許容されると、この調停回路１３ｎからセレクタ１４ｎに、マスタ装置１１のバスを接続させるための選択信号が出力されると共に、マスタ装置１１側のセレクタ１２１に、スレーブ装置２ｎのバスを接続させるための選択信号が出力される。これにより、マスタ装置１１とスレーブ装置２ｎが接続される。
【０００８】
接続が行われると、マスタ１１はスレーブ装置２ｎに対してアドレスａｄｄｒ、データの転送タイプｔｒａｎｓ、転送回数に関する情報ｂｕｒｓｔ等を出力し、スレーブ装置２ｎはマスタ１１に対して応答信号ｒｅａｄｙを返す。その後、転送タイプに従ったデータ転送が実行される。
【０００９】
このように、マトリックス状バス回路１０は、各マスタ装置１ｉと各スレーブ装置２ｊにそれぞれ専用に設けられたバスを接続するようにしているので、接続対象のスレーブ装置２ｊが他のマスタ装置１ｉに接続されていない限り、各マスタ装置１ｉは任意のスレーブ装置２ｊに自由に接続することができる。
【００１０】
【特許文献１】特開平８−２５５１２７号公報
【特許文献２】特開平１０−１４３４４４号公報
【発明の開示】
【発明が解決しようとする課題】
【００１１】
しかしながら、前記マトリックス状バス接続システムでは、スレーブ装置２ｊに対して個別にクロックを停止させる等の低電力制御処理を行うと、その低電力状態のスレーブ装置２ｊからの応答信号ｒｅａｄｙが戻らなくなってしまう。このため、スレーブ装置２ｊを選択したマスタ装置１ｉでは、応答待ちのために動作が停止してしまうという問題があった。
【００１２】
本発明は、低電力状態のスレーブ装置からの応答待ちによる動作の停止が発生しないマトリックス状バス接続システムとその低電力方法を提供することを目的としている。
【課題を解決するための手段】
【００１３】
本発明のマトリックス状バス接続システムは、アクセス対象装置のアドレスをそれぞれ専用のマスタ側バスに出力することによって接続要求を行う複数のマスタ装置と、前記接続要求を行ったマスタ装置との間でそれぞれ専用のスレーブ側バスを通してデータ転送を行う複数のスレーブ装置と、前記複数のスレーブ装置を個別に低消費電力状態に制御する低電力制御回路と、前記マスタ装置毎に設けられて該マスタ装置から出力されるアドレスを解析して接続対象のスレーブ装置を特定して接続要求信号を出力すると共に、該マスタ装置から前記低消費電力状態に制御されたスレーブ装置に対する接続要求があったときには、前記低電力制御回路からの制御に基づいて予め定められたデフォルトスレーブに対する接続要求信号を出力するデコーダと、前記スレーブ装置毎に設けられて前記各デコーダから与えられる接続要求信号に基づいて前記マスタ装置と該スレーブ装置との間の接続を制御する調停回路と、前記マスタ装置毎に設けられて前記各調停回路から与えられる第１の選択信号に従って前記スレーブ側バスを選択して対応するマスタ装置のマスタ側バスに接続する第１のセレクタと、前記スレーブ装置毎に設けられて前記各調停回路から与えられる第２の選択信号に従って前記マスタ側バスを選択して対応するスレーブ装置のスレーブ側バスに接続する第２のセレクタとを備えたことを特徴としている。
【発明の効果】
【００１４】
本発明では、低電力制御回路によってスレーブ装置を個別に低消費電力状態に制御するときに、各マスタ装置に対応して設けられたデコーダに対して、その対応するマスタ装置から低消費電力状態に制御されたスレーブ装置に対する接続要求があったときに予め定められたデフォルトスレーブに対する接続要求信号が出力されるように制御している。これにより、低消費電力状態のスレーブ装置がアクセスされて無応答状態に陥ってしまうことがなくなる、という効果がある。
【発明を実施するための最良の形態】
【００１５】
複数のマスタ装置とスレーブ装置がマトリックス状のバス回路に接続され、各マスタ装置に対応して設けられたデコーダで接続要求先のスレーブ装置を解読し、各スレーブ装置に対応して設けられた調停回路でバス回路の接続を制御して、任意のマスタ装置とスレーブ装置の間でデータ転送を行うマトリックス状バス接続システムにおいて、スレーブ装置を個別に低消費電力状態にするときに、まず、各マスタ装置のデータ転送状態を監視し、データ転送を行っていないマスタ装置では直ちに、データ転送中のマスタ装置ではそのデータ転送が終了した時点で、それぞれ対応するデコーダの解読テーブルを切り替えることにより、低消費電力の対象となるスレーブ装置への接続要求をデフォルトスレーブ宛ての接続要求に変更する。
【００１６】
そして、すべてのマスタ装置に対応するデコーダの解読テーブルが切り替えられた後で、低消費電力の対象となるスレーブ装置を低消費電力状態にする。
【００１７】
この発明の前記並びにその他の目的と新規な特徴は、次の好ましい実施例の説明を添付図面と照らし合わせて読むと、より完全に明らかになるであろう。但し、図面は、もっぱら解説のためのものであって、この発明の範囲を限定するものではない。
【実施例１】
【００１８】
図１は、本発明の実施例１を示すマトリックス状バス接続システムの構成図であり、図２中の要素と共通の要素には共通の符号が付されている。
【００１９】
このマトリックス状バス接続システムは、図２と同様の複数のマスタ装置１ｉ（但し、ｉ＝１〜ｍ）及び複数のスレーブ装置２ｊ（但し、ｊ＝１〜ｎ）と、これらの間を任意に接続するための図２とは若干構成の異なるマトリックス状バス回路１０Ａと、スレーブ装置２ｊを個別に低電力状態に制御するための低電力制御回路３とで構成されている。
【００２０】
ここで、マスタ装置１ｉは、例えばＣＰＵ（中央処理装置）やＤＭＡ（ダイレクト・メモリ・アクセス）のように、アドレスａｄｄｒを出力することにより、アクセス対象の装置を指定できるものである。また、スレーブ装置２ｊは、例えば入出力装置や記憶装置等のように、アドレスａｄｄｒによってマスタ装置１ｉ側からのアクセスを受けるものである。
【００２１】
マトリックス状バス回路１０Ａは、各マスタ装置１ｉに接続する専用のマスタ側バスに対応して設けられたデコーダ（ＤＥＣ）１５ｉ及びセレクタ（ＳＥＬ）１２ｉと、各スレーブ装置２ｊ接続する専用のスレーブ側バスに対応して設けられた調停回路（ＡＲＢ）１３ｊ及びセレクタ１４ｊで構成されている。
【００２２】
デコーダ１５ｉは、マスタ装置１ｉから出力されるアドレスを解析して接続対象のスレーブ装置２ｊを特定し、そのスレーブ装置２ｊに対応する調停回路１３ｊにアクセス要求を行うものである。デコーダ１５ｉは、図示していないが、アドレス解析用のデータを記憶したテーブルを備えており、マスタ装置１ｉから出力されるアドレスに従ってこのテーブル参照することにより、接続対象のスレーブ装置２ｊを特定するようになっている。このテーブルは、各スレーブ装置２ｊの動作状態（即ち、通常動作または低電力状態）に応じて予め複数のテーブルを用意しておき、どのテーブルを用いるかを低電力制御回路３から与えられる制御信号ＣＯＮで切り替えるようになっている。
【００２３】
調停回路１３ｊは、各デコーダ１１ｉから与えられるアクセス要求の優先度や要求の順番に基づいてアクセスを許容するマスタ装置を決定し、マスタ側のセレクタ１２ｉとスレーブ側のセレクタ１４ｊを制御するものである。セレクタ１２ｉは、各調停回路１３ｊから与えられる選択信号に従って、スレーブ装置２ｊ側のバスを選択してマスタ装置１ｉ側のバスに接続するものである。セレクタ１４ｊは、対応する調停回路１３ｊから与えられる選択信号に従って、マスタ装置１ｉ側のバスを選択してスレーブ装置２ｊ側のバスに接続するものである。
【００２４】
また、低電力制御回路３は、各スレーブ装置２ｊを個別に低電力状態に制御するもので、低電力制御処理の対象となるスレーブ装置２ｊに低電力信号ＬＰｊを与えるとともに、デコーダ１５ｉ内のテーブルを各スレーブ装置２ｊの動作状態に応じて選択するための制御信号ＣＯＮを出力するものである。
【００２５】
このテーブルでは、低電力状態となっているスレーブ装置２ｊのアドレスが与えられたときに、常に通常動作状態となっている特定のスレーブ装置（例えば、スレーブ装置２２）がデフォルトスレーブとして選択されるようになっている。一方、デフォルトスレーブには、他のスレーブ装置２ｊのアドレスａｄｄｒが与えられたときに、そのスレーブ装置２ｊに代わって、停止中である旨の応答信号を出力する機能が追加されている。
【００２６】
次に動作を説明する。
例えば、マスタ装置１１から、通常動作状態のスレーブ装置２ｎへアクセスする場合は、図２の動作と同じである。
【００２７】
即ち、マスタ装置１１は専用のマスタ側バスに、スレーブ装置２ｎのアドレスａｄｄｒを出力する。アドレスａｄｄｒは、マスタ装置１１に対応するデコーダ１１１で読み取られて解析される。この場合は、スレーブ装置２ｎは通常動作状態であるので、このデコーダ１１１からスレーブ装置２ｎ側の調停回路１３ｎに対するアクセス要求が出力される。      
【００２８】
そして、スレーブ装置２ｎ側の調停回路１３ｎでアクセスが許容されると、この調停回路１３ｎからセレクタ１４ｎに、マスタ装置１１のバスを接続させるための選択信号が出力されると共に、マスタ装置１１側のセレクタ１２１に、スレーブ装置２ｎのバスを接続させるための選択信号が出力される。これにより、マスタ装置１１とスレーブ装置２ｎが接続される。
【００２９】
接続が行われると、マスタ１１は、予め定められたデータ転送プロトコルに従って、例えば、スレーブ装置２ｎに対してアドレスａｄｄｒ、データの転送タイプｔｒａｎｓ、転送回数に関する情報ｂｕｒｓｔ等を出力する。スレーブ装置２ｎはマスタ装置１１に対して応答信号ｒｅａｄｙを返す。その後、転送タイプに従ったデータ転送が実行される。
【００３０】
次に、例えばスレーブ装置２１が低電力状態に制御される場合、まず、低電力制御回路３から、各デコーダ１５ｉに対して、スレーブ装置２１へのアクセス要求をデフォルトスレーブ（即ち、スレーブ装置２２）に割り当てるテーブルを参照させるための制御信号ＣＯＮが出力される。その後、低電力制御回路３からスレーブ装置２１に対して、低電力信号ＬＰ１が出力され、このスレーブ装置２１は低電力状態となる。
【００３１】
この状態で、例えばマスタ装置１ｍから、低電力状態のスレーブ装置２１へのアクセスが行われると、マスタ装置１ｍは専用のマスタ側バスに、スレーブ装置２１のアドレスａｄｄｒを出力する。アドレスａｄｄｒは、マスタ装置１ｍに対応するデコーダ１１ｍで読み取られて解析される。この場合は、デコーダ１１ｍ内のテーブルは、低電力状態のスレーブ装置２１に代えてデフォルトスレーブを割り当てるように切り替えられているので、このデコーダ１１ｍからスレーブ装置２２側の調停回路１３２に対するアクセス要求が出力される。調停回路１３２でアクセスが許容されると、この調停回路１３２からセレクタ１４２に、マスタ装置１ｍのバスを接続させるための選択信号が出力されると共に、マスタ装置１ｍ側のセレクタ１２ｍに、スレーブ装置２２のバスを接続させるための選択信号が出力される。これにより、マスタ装置１ｍとスレーブ装置２２が接続される。
【００３２】
接続が行われると、マスタ１ｍはスレーブ装置２２に対して、スレーブ装置２１のアドレスａｄｄｒ、データの転送タイプｔｒａｎｓ、転送回数に関する情報ｂｕｒｓｔ等を出力する。一方、スレーブ装置２１のアドレスａｄｄｒを受け取ったスレーブ装置２２は、スレーブ装置２１に代わって、停止中である旨の応答信号をマスタ装置１ｍに出力する。これにより、マスタ装置１ｍはスレーブ装置２１が停止中であることがわかるので、その状態に応じた処理を続行することができる。
【００３３】
なお、スレーブ装置２１を低電力状態から通常動作状態に復帰させる時には、まず低電力制御回路３からスレーブ装置２１に対する低電力信号ＬＰ１を停止させ、その後、制御信号ＣＯＮを通常の状態に戻せば良い。
【００３４】
以上のように、この実施例１のマトリックス状バス接続システムは、スレーブ装置２を個別に低電力状態にするときに、各デコーダ１５中のテーブルを、低電力状態のスレーブ装置２に代えてデフォルトスレーブを割り当てるように切り替える低電力制御回路３を設けている。更に、デフォルトスレーブでは、他のスレーブ装置のアドレスでアクセス要求があった場合に、停止中である旨の応答信号をマスタ装置１に出力するようにしている。これにより、アクセス対象のスレーブ装置２が低電力状態であっても、マスタ装置１は応答待ち状態にならず、適切な処理を続行することができるという利点がある。
【００３５】
なお、各デコーダ１５ｉのテーブルを書き替え可能なメモリで構成し、各スレーブ装置２ｊの動作状態に応じて、低電力制御回路３からこれらのテーブルを書き替えるようにしても良い。また、解読用のテーブルを用いずにソフトウエアや論理回路で宛先の解読を行うように構成し、それらのソフトウエアや論理回路を制御信号ＣＯＮで切り替えるようにしても良い。
【実施例２】
【００３６】
図３は、本発明の実施例２を示すマトリックス状バス接続システムの構成図であり、図１中の要素と共通の要素には共通の符号が付されている。
【００３７】
このマトリックス状バス接続システムでは、図１中のマトリックス状バス回路１０Ａに代えて、各マスタ装置１ｉに対応するアクセス監視回路１６ｉと、これらのアクセス監視回路１６ｉの出力信号の論理積をとる論理積ゲート（以下、「ＡＮＤ」という）１７を追加したマトリックス状バス回路１０Ｂを設けている。更に、低電力制御回路３に代えて機能を若干変更した低電力制御回路３Ａを設けている。
【００３８】
各アクセス監視回路１６ｉは、対応するマスタ装置１ｉのバスによるスレーブ装置２へのアクセスを監視するものである。アクセス監視回路１６ｉでは、低電力制御回路３Ａからデコーダ１５ｉ中のテーブルを切り替えるための制御信号ＣＯＮが与えられたときに、アクセスが行われていなければ、対応するデコーダ１５ｉに制御信号ＣＯＮｉを出力する。また、アクセス監視回路１６ｉは、バスによるアクセスが行われている時には、そのアクセスの終了または切れ目を検出し、終了や切れ目が検出されたときに、デコーダ１５ｉに制御信号ＣＯＮｉを出力するようになっている。
【００３９】
アクセスの終了や切れ目の検出は、マスタ装置１ｉとスレーブ装置２ｊの間のデータ転送プロトコルに基づいて行われる。例えば、転送データ終了時に応答信号を“Ｈ”レベルにするプロトコルであれば、この応答信号を監視すれば良い。
【００４０】
低電力制御回路３Ａは、すべてのアクセス監視回路１６ｉの制御信号ＣＯＮｉが“Ｈ”となって、ＡＮＤ１７から出力される切替完了信号ＣＯＫが“Ｈ”となったときに、該当するスレーブ装置２ｊに対する低電力信号ＬＰｊを出力するものである。その他の構成は、図１と同様である。
【００４１】
このマトリックス状バス接続システムの動作は、アクセス中のマスタ装置１ｉ側のデコーダ１５ｉにおけるテーブルの切り替えを禁止し、すべてのマスタ装置１ｉ側のデコーダ１５ｉのテーブル切り替えが完了した時点で、該当するスレーブ装置を低電力状態にすること以外は、図１のマトリックス状バス接続システムの動作と同じである。
【００４２】
以上のように、この実施例２のマトリックス状バス接続システムは、各マスタ装置１ｉのスレーブ装置２へのアクセスを監視し、アクセスしていない時点でデコーダ１５ｉ中のテーブルを切り替えるためアクセス監視回路１６ｉと、すべてのテーブルの切り替えが完了した時点で該当するスレーブ装置２ｊを低電力状態にする低電力制御回路３Ａを有している。これにより、実施例１の利点に加えて、誤動作を起こすことなく安全にスレーブ装置を低電力状態にすることができるという利点がある。
【図面の簡単な説明】
【００４３】
【図１】本発明の実施例１を示すマトリックス状バス接続システムの構成図である。
【図２】従来のマトリックス状バス接続システムの概略を示す構成図である。
【図３】本発明の実施例２を示すマトリックス状バス接続システムの構成図である。
【符号の説明】
【００４４】
１ｉ    マスタ装置
２ｊ    スレーブ装置
３，３Ａ    低電力制御回路
１０Ａ，１０Ｂ    マトリックス状バス回路
１２ｉ，１４ｊ    セレクタ
１３ｊ    調停回路
１５ｉ    デコーダ
１６ｉ    アクセス監視回路
【図１】
2005234932.tif 000003
【図２】
2005234932.tif 000004
【図３】
2005234932.tif 000005